(57)【特許請求の範囲】
【請求項１】
一まとまりで左右に並べて陳列される複数の瓶容器からなる組合せ瓶容器であって、各瓶容器が本体部と蓋部とを備え、上記各瓶容器の本体部は、前後の面が略平坦に形成されているとともに、左右の面の少なくとも一方が傾斜面もしくは曲面に形成されており、各瓶容器を正面から見た輪郭形状が、それぞれ、共通する特定の上位概念に属する下位概念を象徴する文字もしくは図柄の輪郭形状になっていることを特徴とする組合せ瓶容器。
【請求項２】
上記各瓶容器の本体部と蓋部の境界部を利用して、本体部前面側に垂れる商品説明シートが取り付けられている請求項１記載の組合せ瓶容器。
【請求項３】
上記商品説明シートに切欠き穴が形成されており、この切欠き穴を本体部の首部に嵌合させ、蓋部で挟み込むことにより、商品説明シートが取り付けられている請求項２記載の組合せ瓶容器。
【発明の詳細な説明】
【０００１】
【発明の属する技術分野】
本発明は、一まとまりで左右に並べて陳列される複数の瓶容器からなる組合せ瓶容器に関するものである。
【０００２】
【従来の技術】
従来から、同一シリーズの化粧品であっても、顧客の好みや肌の状態に合わせて、微妙に成分組成を変えていくつかの種類が用意されることがよく行われている。例えば、同一シリーズの化粧水において、「乾燥肌用」、「脂性肌用」、「普通肌用」というように、肌タイプに応じて複数種類の化粧水が用意され、図８に示すように並べて陳列される。また、メイクアップ化粧料の場合は、色や艶の有無等によって、豊富な種類が用意される。
【０００３】
【発明が解決しようとする課題】
しかしながら、化粧品として、肌の状態や色，香り，使用感等を選択基準として、複数種類のものを用意することは、どのメーカーも行っていることであり、これらを並べても、陳腐な陳列形態とならざるを得ない。そこで、従来とは全く異なる、斬新な選択基準で複数種類の化粧品を用意し、これを斬新な容器を用いて印象的に陳列することが強く望まれているが、そのようなものは実用化されていないのが実情である。
【０００４】
本発明は、このような事情に鑑みなされたもので、化粧品等の商品を、互いに関連する複数種類の商品として、一まとまりで印象的に陳列することのできる、優れた組合せ瓶容器の提供をその目的とする。
【０００５】
【課題を解決するための手段】
上記の目的を達成するため、本発明は、一まとまりで左右に並べて陳列される複数の瓶容器からなる組合せ瓶容器であって、各瓶容器が本体部と蓋部とを備え、上記各瓶容器の本体部は、前後の面が略平坦に形成されているとともに、左右の面の少なくとも一方が傾斜面もしくは曲面に形成されており、各瓶容器を正面から見た輪郭形状が、それぞれ、共通する特定の上位概念に属する下位概念を象徴する文字もしくは図柄の輪郭形状になっている組合せ瓶容器を第１の要旨とする。
【０００６】
また、上記組合せ瓶容器のなかでも、特に、上記各瓶容器の本体部と蓋部の境界部を利用して、本体部前面側に垂れる商品説明シートが取り付けられているものを第２の要旨とし、そのなかでも特に、上記商品説明シートに切欠き穴が形成されており、この切欠き穴を本体部の首部に嵌合させ、蓋部で挟み込むことにより、商品説明シートが取り付けられているものを第３の要旨とする。
【０００７】
【発明の実施の形態】
つぎに、本発明の実施の形態について説明する。
【０００８】
図１は、本発明を、４種類を一組として左右に並べて販売する新商品の容器に適用した一実施の形態を示している。
【０００９】
上記新商品は、「血液型コロン」というシリーズ名のもとに、それぞれの血液型に似合う４種類の香水を組み合わせたもので、Ａ型の女性に似合う香りの香水がアルファベットの「Ａ」をかたどった瓶容器１に充填されている。また、Ｂ型の女性に似合う香りの香水が「Ｂ」をかたどった瓶容器２に充填されており、Ｏ型の女性に似合う香りの香水が「Ｏ」をかたどった瓶容器３に充填されており、ＡＢ型の女性に似合う香りの香水が「ＡＢ」をかたどった瓶容器４に充填されている。
【００１０】
上記瓶容器１〜４の構成を、「Ａ」をかたどった瓶容器１を例にとって、詳細に説明する。すなわち、この瓶容器１は、図２に示すように，本体部１ａと、その首部１ｂにら合される蓋部１ｃとで構成されており、上記本体部１ａと蓋部１ｃの間に、切欠き穴５が形成された厚紙製の商品説明シート６が、その切欠き穴５を上記首部１ｂに嵌合させ、蓋部１ｃで挟み込むことにより、瓶容器１に取り付けられるようになっている。
【００１１】
上記瓶容器１の本体部１ａは、前後の面が略平坦で、正面からみた輪郭形状が、アルファベットの「Ａ」の輪郭形状になっており、前後の面に、「Ａ」の内側の三角形状の部分を示す凹部７が形成されている。
【００１２】
また、上記瓶容器１に取り付けられる商品説明シート６は、切欠き穴５が形成された折り返し面６ａと、表示面６ｂとからなり、上記折り返し面６ａが、本体部１ａと蓋部１ｃとの間に挟み込まれ、上記表示面６ｂが、本体部１ａの前面に垂れるようになっている。そして、この表示面６ｂには、「Ａ」を極端に太く表記した「Ａ型の香り」というタイトル８と、「ｆｏｒ  ＷＯＭＥＮ」の添え書き９とが表示されている。また、下部に、この一連の商品のシリーズ名である「血液型コロン」の名称１０が表示されている。
【００１３】
そして、上記表示面６ｂの裏面６ｂ′には、図３に示すように、上部に、「Ａ型の貴女は…」の見出し１１が表示されており、その下に、「控えめでいていつも周囲に行き届いた気配りを忘れない、奥ゆかしさが貴女の魅力。………そんなＡ型の女性には、爽やかなフローラルマリン調の香りが最適です。」という、Ａ型女性の性格についての記述と、香りの説明が表示されている。また、その下には、「直射日光のあたるお肌に付けますと、まれにかぶれたり、シミになることがありますのでご注意ください。」という注意書き１２が表示されている。
【００１４】
さらに、上記蓋部１ｃ（図２に戻る）は、外形が、球形の下部を平面で切り取った形状をしており、その端面に、首部１ｂとら合させるための雌ねじが形成されている。なお、上記蓋部１ｃの下端面は、商品説明シート６の切欠き穴５の周縁部と重なるよう設定されており、蓋部１ｃを締め込むことにより、商品説明シート６は蓋部１ｃによって抜け止めされるようになっている。
【００１５】
なお、上記瓶容器１とともに用いられる他の瓶容器２〜４を、図４（ａ），（ｂ）および図５に示す。ただし、いずれも商品説明シート６を省略している。これらの瓶容器２〜４も、上記「Ａ」をかたどった瓶容器１と同様、前後の面が略平坦で、正面からみた輪郭形状が、それぞれの血液型を示すアルファベットの輪郭形状になっており、前後の面に、アルファベットを示す凹部が形成されている。ただし、「Ｏ」をかたどった瓶容器３の凹部３ａは、デザイン的な見地から、単なる長丸ではなく、ハート形になっている。そして、瓶容器２〜４に取り付けられる商品説明シート６は、いずれも瓶容器１に取り付けられる商品説明シート６と同形状である（図１参照）が、表示面６ｂに表示されるタイトル８ａ〜８ｃは、それぞれ「Ｂ型の香り」、「Ｏ型の香り」、「ＡＢ型の香り」となっている。そして、各表示面６ｂの裏面６ｂ′に表示される説明１１等（図３参照）も、それぞれの血液型に応じた内容になっている。注意書き１２は、どの瓶容器１〜４も共通である。
【００１６】
そして、どの瓶容器１〜４も、その前後の厚みおよび高さが略同一となるよう設定されており、図１に示すように左右一列に並べた場合や、図６に示すように前後一列に並べた場合に、統一感が得られるようになっている。
【００１７】
このように、上記組合せ瓶容器１〜４によれば、血液型という全く新しい選択基準で商品を区別することができ、しかも各瓶容器１〜４が、瓶容器自体で血液型のアルファベットをかたどる特殊な形状になっているため、これらを左右一列に並べた場合、非常に印象の強い陳列形態となり、効果的である。そして、これらの瓶容器１〜４は、それぞれの側面を、互いに少なくとも一個所ずつ当接させながら並べることにより、互いに間隔が微妙に異なって変化に富んでいるにもかかわらず、バランスのよい陳列形態となる。さらに、これらを梱包し搬送する場合には、４種類の瓶容器１〜４を前後一列に並べて互いに密着させることができるため、全体を非常にコンパクトにまとめることができる（図６参照）。しかも、その際、瓶と瓶の間に、厚紙製の商品説明シート６が介在することとなり、瓶と瓶が直接当たらないため、瓶が損傷しにくいという利点を有する。
【００１８】
なお、上記の例では、商品説明シート６を、瓶の本体部１ａと蓋部１ｃとの間に挟み込むようにしているため、瓶の中身である香水が揮発しやすいものであるにもかかわらず、商品説明シート６の折り返し面６ａがシール材の役割を果たし、中身である香水が揮発しにくい、という利点を有する。ただし、必ずしも上記のように、商品説明シート６を挟み込む必要はなく、例えば図７（ａ）に示すように、商品説明シート６の折り返し面６ａに、瓶の蓋部１ｃの外径よりも内径の大きな切欠き穴５′を設け、この切欠き穴５′を利用して、商品説明シート６を蓋部１ｃの上から被せるだけにしてもよい。また、図７（ｂ）に示すように、商品説明シート６の折り返し面６ａに、Ｕ字状の切欠き５″を設け、この部分を瓶の蓋部１ｃの根元に差し込んで、簡易的に保持させるようにしてもよい。ただし、これらの構成では、前記のようなシール機能がなく、また店頭において商品説明シート６が脱落したり紛失したりしやすいため、前記のように、完全に挟み込む方が望ましい。なお、上記商品説明シート６に代えて、瓶の前後面や側面を利用して、商品説明シート６に表示したと同様の表示を有する表示ラベルを貼着するようにしてもよい。
【００１９】
また、瓶形状は、上記の例に限らず、適宜の形状に設定することができる。ただし、複数の瓶を一まとまりとして組み合わせて陳列した場合に、それぞれの瓶容器の輪郭形状が、互いに共通する上位概念に属する輪郭形状を有していなければならない。例えば、トランプのマークであるスペードとクローバーとハートとダイヤをそれぞれかたどった瓶容器を用意し、今日のラッキーマークの香りをつけると運が開ける、等のキャッチコピーで、一定期間ごとのトランプ占いが表示された冊子とともにセットで販売するようにしてもよい。また、１２の星座をそれぞれかたどった瓶容器の組み合わせにすることもできる。
【００２０】
さらに、蓋部１ｃの形状も、上記の例に限らず、瓶を蓋する機能を有していれば、どのような形状であっても差し支えはない。ただし、瓶自体が、個別にいろいろな形状をかたどったものであることから、蓋部１ｃについては、どの瓶にも共通するシンボリックな統一形状をもたせることが好適である。
【００２１】
そして、上記の例では、本発明の組合せ瓶容器を、４種類の香水を組み合わせた商品に適用したが、商品の種類は、香水やネイルカラーといった液体化粧料の他、どのような商品であっても差し支えはない。
【００２２】
【発明の効果】
以上のように、本発明の組合せ瓶容器は、一まとまりで陳列される複数の瓶容器において、各瓶容器を正面からみた輪郭形状が、特定の上記概念に属する下位概念を象徴する特殊な形状になっているため、これらを左右一列に並べた場合、非常に印象の強い陳列形態となり、効果的である。そして、これらの瓶容器は、左右の面の少なくとも一方が傾斜面もしくは曲面に形成されているため、それぞれの側面を、互いに少なくとも一個所ずつ当接させながら並べることにより、同形状の瓶を等間隔に並べる場合に比べて、変化があり、かつバランスのよい陳列形態を得ることができる。さらに、本発明の組合せ瓶容器を一まとまりにして梱包し搬送する場合には、これらを前後一列に並べて互いに密着させることにより、全体を非常にコンパクトにまとめることができるという利点を有する。
【図面の簡単な説明】
【図１】本発明の一実施例の陳列態様を示す正面図である。
【図２】上記実施例に用いる一つの瓶容器の分解斜視図である。
【図３】上記実施例に用いる商品説明シートの裏面の説明図である。
【図４】（ａ），（ｂ）はともに上記実施例に用いる他の瓶容器の斜視図である。
【図５】上記実施例に用いるさらに他の瓶容器の斜視図である。
【図６】上記実施例の効果の説明図である。
【図７】（ａ），（ｂ）はともに商品説明シートの変形例を示す説明図である。
【図８】従来の、一まとまりで陳列される化粧品の説明図である。
【符号の説明】
１〜４  瓶容器
１ａ  本体部
１ｃ  蓋部
【図１】
0003993341.tif 000002
【図２】
0003993341.tif 000003
【図３】
0003993341.tif 000004
【図４】
0003993341.tif 000005
【図５】
0003993341.tif 000006
【図６】
0003993341.tif 000007
【図７】
0003993341.tif 000008
【図８】
0003993341.tif 000009